(57)【特許請求の範囲】
【請求項１】
ワイパ部材を往復移動させてガラスに付着した水滴等を拭き取るワイパ装置であって、前記ワイパ部材は、並設された一対のワイパブレードで構成されると共に該一対のワイパブレード間の中心軸を中心に首振り揺動して一対のワイパブレードのうちいずれかのワイパブレードが前記ガラス表面に接触するように切り換え可能に構成され、ワイパ装置の往動時には前記一対のワイパブレードのうち一方のワイパブレードをガラス表面に接触させてガラス表面に付着した水滴等を拭き取り、復動時には首振り揺動して切り換えられて前記一対のワイパブレードのうち他方のワイパブレードをガラス表面に接触させてガラス表面に付着した水滴等を拭き取るワイパ装置において、
前記ワイパ部材は、前記ワイパブレードの往動から復動への切り換え時に、ワイパ部材に固着された第１のピンが、ガラス側に固定された第１の切換ピンに当接されてワイパ部材が前記中心軸を中心に揺動されることにより、他方のワイパブレードが、一方のワイパブレードのガラス表面からの退避位置よりも移動範囲の内側のガラス表面に接触され、前記ワイパブレードの復動から往動への切り換え時に、ワイパ部材に固着された第２のピンが、ガラス側に固定された第２の切換ピンに当接されてワイパ部材が前記中心軸を中心に前記方向とは逆方向に揺動されることにより、一方のワイパブレードが、他方のワイパブレードのガラス表面からの退避位置よりも移動範囲の内側のガラス表面に接触されるように首振り揺動することを特徴とするワイパ装置。
【請求項２】
前記ワイパ部材は、前記ワイパブレードの往動から復動への切り換え時に、前記中心軸に固着されたストッパーピンが、ワイパ部材に固着された第３のピンに当接されてワイパ部材の揺動量が規制され、前記ワイパブレードの復動から往動への切り換え時に、前記ストッパーピンが、ワイパ部材に固着された第４のピンに当接されてワイパ部材の揺動量が規制されることを特徴とする請求項１に記載のワイパ装置。
【発明の詳細な説明】
【０００１】
【発明の属する技術分野】
本発明はワイパ装置に係り、特に屋外で使用されるテレビレンズの保護ガラスに付着した水滴等を拭き取るワイパ装置に関する。
【０００２】
【従来の技術】
従来、屋外で使用されるフィールドカメラ用のテレビレンズには図５に示すように、ワイパ装置１がテレビレンズ２の前部に設けられている。このワイパ装置１は、レンズフード３の内側に設けられており、アーム４の先端にワイパブレード５が支点５ａを中心に揺動可能に取り付けられている。前記アーム４を基端部６を支点として駆動モータ７で揺動させると、保護ガラス８の表面上でワイパブレード５が図中二点鎖線で示す軌跡で往復移動して、保護ガラス８に付着した水滴等を拭き取る。
【０００３】
【発明が解決しようとする課題】
しかしながら、従来のワイパ装置１は、ワイパブレード５で拭き取った水滴等がワイパブレード５の移動範囲の両端部で溜まり、そして、ワイパブレード５が反対方向に移動する時に、溜まった前記水滴等がワイパブレード５に伴われて移動して保護ガラス８に再び付着するという欠点がある。
【０００４】
本発明はこのような事情に鑑みてなされたもので、拭き取った水滴等がガラスに再付着するのを防止するワイパ装置を提供することを目的とする。
【０００５】
【課題を解決するための手段】
本発明は、前記目的を達成するために、ワイパ部材を往復移動させてガラスに付着した水滴等を拭き取るワイパ装置であって、前記ワイパ部材は、並設された一対のワイパブレードで構成されると共に該一対のワイパブレード間の中心軸を中心に首振り揺動して一対のワイパブレードのうちいずれかのワイパブレードが前記ガラス表面に接触するように切り換え可能に構成され、ワイパ装置の往動時には前記一対のワイパブレードのうち一方のワイパブレードをガラス表面に接触させてガラス表面に付着した水滴等を拭き取り、復動時には首振り揺動して切り換えられて前記一対のワイパブレードのうち他方のワイパブレードをガラス表面に接触させてガラス表面に付着した水滴等を拭き取るワイパ装置において、前記ワイパ部材は、前記ワイパブレードの往動から復動への切り換え時に、ワイパ部材に固着された第１のピンが、ガラス側に固定された第１の切換ピンに当接されてワイパ部材が前記中心軸を中心に揺動されることにより、他方のワイパブレードが、一方のワイパブレードのガラス表面からの退避位置よりも移動範囲の内側のガラス表面に接触され、前記ワイパブレードの復動から往動への切り換え時に、ワイパ部材に固着された第２のピンが、ガラス側に固定された第２の切換ピンに当接されてワイパ部材が前記中心軸を中心に前記方向とは逆方向に揺動されることにより、一方のワイパブレードが、他方のワイパブレードのガラス表面からの退避位置よりも移動範囲の内側のガラス表面に接触されるように首振り揺動することを特徴としている。
【０００６】
また、本発明は、前記ワイパ部材は、前記ワイパブレードの切り換え時に、一方のワイパブレードのガラス表面からの退避位置よりも他方のワイパブレードを移動範囲の内側のガラス表面に接触させ、他方のワイパブレードのガラス表面からの退避位置よりも一方のワイパブレードを移動範囲の内側のガラス表面に接触するように首振り揺動することを特徴としている。
【０００７】
本発明によれば、ワイパ装置の往動時には一対のワイパブレードのうち一方のワイパブレードをガラス表面に接触させてガラス表面に付着した水滴等を拭き取り、復動時には首振り揺動して切り換えられて一対のワイパブレードのうち他方のワイパブレードをガラス表面に接触させてガラス表面に付着した水滴等を拭き取る。そして、ワイパ部材は、往動時と復動時のワイパブレードの切り換え時に、一方のワイパブレードのガラス表面からの退避位置よりも他方のワイパブレードを移動範囲の内側のガラス表面に接触させ、他方のワイパブレードのガラス表面からの退避位置よりも一方のワイパブレードを移動範囲の内側のガラス表面に接触するように首振り揺動する。これにより、一方又は他方のワイパブレードは、他方又は一方のワイパブレードで拭き取った水滴等が溜まった位置よりも移動範囲の内側から拭き取りを開始するので、ワイパ部材で拭き取った水滴等がガラスに再付着するのを防止できる。
【０００８】
【発明の実施の形態】
以下添付図面に従って本発明に係るワイパ装置の好ましい実施の形態について詳説する。
図１は、本発明に係るワイパ装置が取り付けられたテレビレンズの正面図である。このワイパ装置１０は、テレビレンズハウジング１２の前枠１４に固着された保護ガラス１６の側方に設けられている。前記ワイパ装置１０は、長尺状のワイパ部材１８を有しており、このワイパ部材１８の略中央部に、リンク機構のアーム２０の先端部が回動自在に連結されている。前記アーム２０の基端部には図中二点鎖線で示す軸２２が固着され、この軸２２はテレビレンズハウジング１２の下部に取り付けられたモータ２４に連結されている。前記モータ２４は、テレビレンズハウジング１２の外部に配置された図示しないコントローラによって、アーム２０を前記軸２２を支点として保護ガラス１６の前面で、図１中Ａで示す範囲において往復移動するように駆動制御される。これにより、保護ガラス１６の前面に付着した水滴や塵等がワイパ部材１８によって拭き取られる。
【０００９】
ところで、前記ワイパ部材１８は図２に示すように、並設された一対のワイパブレード２６、２８を備えており、これらのワイパブレード２６、２８は所定角度で二股状に形成されたブラケット３０の脚部３０Ａ、３０Ｂに固着されている。前記ブラケット３０は、その両端部に形成された突出部３１Ａ、３１Ｂが軸３２に枢支され、軸３２に対して図２中Ａ、Ｂ方向に揺動自在となっている。この軸３２は、一対のワイパブレード２６、２８間の中心軸位置に配置されると共に前記アーム２０が連結されている。従って、前記一対のワイパブレード２６、２８は、軸３２とブラケット３０と介してアーム２０に対し揺動自在に取り付けられ、例えば、図１中Ａ方向に揺動されると、ワイパブレード２６が保護ガラス１６の表面側に進出移動すると共にワイパブレード２８が保護ガラス１６の表面側から退避移動する。また、図２中Ｂ方向に揺動されると、ワイパブレード２８が保護ガラス１６の表面側に進出移動すると共にワイパブレード２６が保護ガラス１６の表面側から退避移動する。
【００１０】
一方、前記ブラケット３０の上部突出部３１Ａには、ピン３４が傾斜して固着される。このピン３４は、図１中実線で示すワイパ装置１０の左側の移動端において、前枠１４の左上隅部に固着された切換ピン３６に当接される。また、図２に示すようにブラケット３０の下部突出部３１Ｂには、ピン３８が前記ピン３４とは反対方向に傾斜して固着される。このピン３８は、図１中二点鎖線で示すワイパ装置１０の右側の移動端において、前枠１４の右下隅部に固着された切換ピン４０に当接される。
【００１１】
図２において、ストッパーピン４４がブラケット３０の下部突出部３１Ｂの端面から突出された前記軸４２に固着されている。また、下部突出部３１Ｂの端面には前記ストッパーピン４４を挟むように、ピン４６、４８が固着されている。前記ピン４６、４８はブラケット３０の揺動量を規制するもので、例えば、ブラケット３０が図２中Ａ方向に揺動するとピン４６がストッパーピン４４に当接することにより前記Ａ方向の揺動量が規制され、また、ブラケット３０が図２中Ｂ方向に揺動するとピン４８がストッパーピン４４に当接することにより前記Ｂ方向の揺動量が規制される。
【００１２】
次に、前記の如く構成された本発明のワイパ装置１０の作用について図３、図４を参照しながら説明する。
図３（Ａ）、（Ｂ）、（Ｃ）はワイパ装置１０の図１中右側の移動端近傍におけるワイパブレード２６、２８の動作説明図である。
ワイパ装置１０が図１中右方向に移動する場合には図３（Ａ）に示すように、ワイパブレード２６が拭き取り用に予め切り換えられており、このワイパブレード２６で保護ガラス１６に付着した水滴５０を拭き取る。この場合、ブラケット３０はピン４６を介してストッパーピン４４に揺動が規制されているため、ワイパブレード２６は図３（Ａ）に示した状態で保護ガラス１６上を通過する。
【００１３】
そして、ワイパブレード２６が保護ガラス１６上を通過すると、図１中右側の移動端の直前において図３（Ｂ）に示すように、ピン３８が切換ピン４０に当接することにより、ブラケット３０が図３（Ｂ）中反時計回り方向に回動しはじめて、ワイパブレード２６が前枠１４から退避しはじめると共にワイパブレード２８が前枠１４に進出しはじめる。これにより、ワイパブレード２６で拭き取った水滴５０が前枠１４上に残された状態となる。そして、図１中右側の移動端位置である図３（Ｃ）に示す位置で、ピン４８がストッパーピン４４に当接し、ワイパブレード２６からワイパブレード２８に切り換えられる。この時、ワイパブレード２８は図３（Ｃ）に示すように、ワイパブレード２６で拭き取った水滴等が溜まった位置よりも移動範囲の内側に接触し、この位置から図３（Ｃ）中左方向に移動するので、ワイパブレード２６で拭き取った水滴等が保護ガラス１６に再付着するのを防止できる。
【００１４】
図４（Ａ）、（Ｂ）、（Ｃ）はワイパ装置１０の図１中左側の移動端近傍におけるワイパブレード２６、２８の動作説明図である。
ワイパ装置１０が図１中左方向に移動する場合には、切り換えられたワイパブレード２８により保護ガラス１６に付着した水滴５０を拭き取る。この場合、ブラケット３０はピン４８を介してストッパーピン４４に揺動が規制されているため、ワイパブレード２８は図４（Ａ）に示した状態で保護ガラス１６上を通過する。
【００１５】
そして、ワイパブレード２８が保護ガラス１６上を通過すると、図１中左側の移動端の直前において図４（Ｂ）に示すように、ピン３４が切換ピン３６に当接することにより、ブラケット３０が図４（Ｂ）中時計回り方向に回動しはじめて、ワイパブレード２８が前枠１４から退避しはじめると共にワイパブレード２６が前枠１４に進出しはじめる。これにより、ワイパブレード２８で拭き取った水滴５０が前枠１４上に残された状態となる。そして、図１中左側の移動端位置である図４（Ｃ）に示す位置で、ピン４６がストッパーピン４４に当接し、ワイパブレード２８からワイパブレード２６に切り換えられる。この時、ワイパブレード２６は図４（Ｃ）に示すように、ワイパブレード２８で拭き取った水滴等が溜まった位置よりも移動範囲の内側に接触し、この位置から図４（Ｃ）中右方向に移動するので、ワイパブレード２８で拭き取った水滴等が保護ガラス１６に再付着するのを防止できる。
【００１６】
従って、本発明のワイパ装置１０ではワイパブレード２６、又はワイパブレード２８で拭き取った水滴等がワイパ装置１０の移動に伴われて移動しないので、拭き取った水滴等が保護ガラス１６に再付着するのを防止できる。
本発明では、テレビレンズに適用したワイパ装置について説明したが、乗用車用のワイパ装置についても適用することができる。
【００１７】
【発明の効果】
以上説明したように本発明に係るワイパ装置によれば、並設された一対のワイパブレードでワイパ部材を構成し、ワイパ部材の往動時及び復動時にいずれかのワイパブレードを切り換えると共に、拭き取りに供していたワイパブレードのガラス表面からの退避位置よりも、次に拭き取りに供するワイパブレードを移動範囲の内側のガラス表面に接触させるようにしたので、拭き取った水滴等がガラスに再付着するのを防止することができる。
【図面の簡単な説明】
【図１】本発明に係るワイパ装置がテレビレンズに適用された正面図
【図２】本発明に係るワイパ装置の拡大斜視図
【図３】本発明に係るワイパ装置の往動時の動作説明図
【図４】本発明に係るワイパ装置の復動時の動作説明図
【図５】従来のワイパ装置の実施例を示す説明図
【符号の説明】
１０…ワイパ装置                  ２０…アーム
２６、２８…ワイパブレード        ３０…ブラケット
３２…軸                          ３６、４０…切換ピン
【図１】
0003722237.tif 000002
【図２】
0003722237.tif 000003
【図３】
0003722237.tif 000004
【図４】
0003722237.tif 000005
【図５】
0003722237.tif 000006